(57)【要約】      （修正有）【課題】保管及び輸送時の梱包体積を小さくできるとともに組み立てが簡単な収納棚の折り畳み構造を提供する。【解決手段】収納棚の折り畳み構造は、複数の支持棚１が垂直に分布し、隣り合う２つの支持棚の間に伸縮機構２が設けられ、支持棚の対向する側辺にねじ固定孔及びスライド溝を有し、伸縮機構が複数組の相互に嵌合される伸縮ラック２１から構成され、伸縮ラックが、３６０°回転可能な２本の互いに交錯して嵌合される調整ロッドを含む。伸縮機構を設けることで、隣り合う２つの支持棚間の距離が調整可能であり、ユーザの使用体験が向上し、倉庫保管及び輸送時に梱包体積を小さくすることができ、収納棚を組み立てる際に伸縮機構の高さのみを調整すればよく、組み立てが簡単で便利になる。【選択図】図１
0003228332.tif 000002
【実用新案登録請求の範囲】
【請求項１】
複数の支持棚から構成される収納棚の折り畳み構造において、前記複数の支持棚が垂直に分布しており、かつ前記隣り合う２つの支持棚の間に伸縮機構が設けられており、
前記支持棚の対向する側辺にねじ固定孔及びスライド溝を有し、
前記伸縮機構が複数組の相互に嵌合される伸縮ラックから構成され、前記伸縮ラックが、３６０°回転可能な２本の互いに交錯して嵌合される調整ロッドを含み、前記調整ロッドの両端にいずれもねじ山調整孔を有し、前記２つの隣り合う伸縮ラックにおけるねじ固定孔側に隣接するねじ山調整孔の間に、前記ねじ固定孔に相互に嵌合される固定ネジが設けられており、前記固定ネジのスクリューの直径がねじ山調整孔の孔径よりも小さく、前記２つの隣り合う伸縮ラックにおけるスライド溝側に隣接するねじ山調整孔の間に、前記スライド溝に相互に嵌合される調整ネジが設けられており、前記調整ネジが、ナットと、前記ねじ山調整孔に互いに嵌合されるねじ棒と、前記スライド溝に相互に嵌合される位置決めロッドとを備え、前記位置決めロッドの直径がねじ棒の直径よりも小さいことを特徴とする、収納棚の折り畳み構造。
【請求項２】
前記隣り合う２つの支持棚の間に２組の伸縮機構が設けられていることを特徴とする、請求項１に記載の収納棚の折り畳み構造。
【請求項３】
前記複数の支持棚における床面に隣接する支持棚の底面に自在車輪が設けられていることを特徴とする、請求項１に記載の収納棚の折り畳み構造。
【考案の詳細な説明】
【技術分野】
【０００１】
本考案は、収納棚の技術分野に関し、詳しくは、収納棚の折り畳み構造に関する。
【背景技術】
【０００２】
収納棚は家庭空間設計において、家庭空間を節約するものである。従来の収納棚は使用過程において一定の欠点がある。従来の市販されている通常の収納棚は体積が大きく、倉庫保管及び輸送が不便であるので、一般的には分解後で倉庫保管及び輸送を行う。消費者は購入後、各種の道具により多くの時間をかけて製品を組み立てる必要があり、また、収納棚の収納領域の空間の大きさが一定であることで、ユーザの消費体験が悪い。
【考案の概要】
【０００３】
本考案の目的は、前記背景技術に提起される問題を解決するために、収納棚の折り畳み構造を提供することである。
【０００４】
前記目的を実現するために、本考案に用いられる技術的手段は、以下の通りである。
【０００５】
複数の支持棚から構成される収納棚の折り畳み構造において、前記複数の支持棚が垂直に分布しており、かつ前記隣り合う２つの支持棚の間に伸縮機構が設けられており、
前記支持棚の対向する側辺にねじ固定孔及びスライド溝を有し、
前記伸縮機構が複数組の相互に嵌合される伸縮ラックから構成され、前記伸縮ラックが、３６０°回転可能な２本の互いに交錯して嵌合される調整ロッドを含み、前記調整ロッドの両端にいずれもねじ山調整孔を有し、前記２つの隣り合う伸縮ラックにおけるねじ固定孔側に隣接するねじ山調整孔の間に、前記ねじ固定孔に相互に嵌合される固定ネジが設けられており、前記固定ネジのスクリューの直径がねじ山調整孔の孔径よりも小さく、前記２つの隣り合う伸縮ラックにおけるスライド溝側に隣接するねじ山調整孔の間に、前記スライド溝に相互に嵌合される調整ネジが設けられており、前記調整ネジが、ナットと、前記ねじ山調整孔に互いに嵌合されるねじ棒と、前記スライド溝に相互に嵌合される位置決めロッドとを備え、前記位置決めロッドの直径がねじ棒の直径よりも小さい収納棚の折り畳み構造。
【０００６】
本考案の収納棚は、伸縮機構を設けることで、収納棚における支持棚が折り畳み可能であり、梱包体積が縮小され、倉庫保管及び輸送しやすくなり、収納棚の組み立てが簡単であり、組み立て過程でネジを用いなくてもよく、消費者がより便利に使用し、また、隣り合う２つの支持棚間の距離が調整可能であり、ユーザの使用体験が向上する。
【０００７】
好ましくは、収納棚の構造安定性を向上させるために、前記隣り合う２つの支持棚の間に２組の伸縮機構が設けられている。
【０００８】
好ましくは、収納棚の位置を容易に移動させるために、前記複数の支持棚における床面に隣接する支持棚の底面に自在車輪が設けられている。
【０００９】
本考案の効果としては、以下の通りである。
本考案の収納棚は、伸縮機構を設けることで、隣り合う２つの支持棚間の距離が調整可能であり、ユーザの使用体験が向上し、倉庫保管及び輸送時に梱包体積を小さくすることができる一方で、収納棚を組み立てる際に伸縮機構の高さのみを調整すればよく、組み立てが簡単で便利になる。
【図面の簡単な説明】
【００１０】
【図１】本考案の全体構成図である。
【図２】本考案の側面図である。
【図３】本考案の支持棚の側辺の概略構成図である。
【図４】本考案の調整ネジの概略構成図である。
【考案を実施するための形態】
【００１１】
以下に添付図面を参照しながら本考案の実施例を詳しく説明する。
【００１２】
本考案の収納棚の折り畳み構造は、図１〜図３に示す通りである。複数の支持棚１から構成される収納棚の折り畳み構造において、前記複数の支持棚１が垂直に分布しており、かつ前記隣り合う２つの支持棚１の間に伸縮機構２が設けられており、
前記支持棚１の対向する側辺にねじ固定孔１１及びスライド溝１２を有し、
前記伸縮機構２が複数組の相互に嵌合される伸縮ラック２１から構成され、前記伸縮ラック２１が、３６０°回転可能な２本の互いに交錯して嵌合される調整ロッド２２を含み、前記調整ロッド２２の両端にいずれもねじ山調整孔２３を有し、前記２つの隣り合う伸縮ラック２１におけるねじ固定孔１１側に隣接するねじ山調整孔２３の間に、前記ねじ固定孔１１に相互に嵌合される固定ネジ２４が設けられており、前記固定ネジ２４のスクリューの直径がねじ山調整孔２３の孔径よりも小さく、前記２つの隣り合う伸縮ラック２１におけるスライド溝１２側に隣接するねじ山調整孔２３の間に、前記スライド溝１２に相互に嵌合される調整ネジ２５が設けられており、図４に示すように、前記調整ネジ２５が、ナットと、前記ねじ山調整孔２３に互いに嵌合されるねじ棒と、前記スライド溝１２に相互に嵌合される位置決めロッドとを備え、前記位置決めロッドの直径がねじ棒の直径よりも小さい収納棚の折り畳み構造。
【００１３】
実施時に、収納棚は、倉庫保管及び輸送が必要とされる場合、調整ネジ２５を緩めることで、伸縮ラック２１の２本の互いに交錯して嵌合される調整ロッド２２をスライド溝１２のねじ固定孔１１から離れる一端にスライドさせ、この場合伸縮ラック２１の高さが低くなり、さらに隣り合う２つの支持棚１の間の鉛直高さが低くなり、収納棚の折り畳みが完成した。組み立て過程で、伸縮ラック２１の２本の互いに交錯して嵌合される調整ロッド２２をスライド溝１２のねじ固定孔１１に近接する一端にスライドさせ、この場合伸縮ラック２１の高さが高くなり、さらに隣り合う２つの支持棚１の間に一定のピッチがあり、物品が置かれる空間を形成し、かつ調整ロッド２２のスライド溝１２における位置を調整することにより、隣り合う２つの支持棚１の間のピッチを調整し、さらに物品が置かれる空間の大きさを調整する。最後に隣り合う２つの支持棚１の間のピッチが決定された後、調整ネジ２５を締めることで、調整ネジ２５の位置決めロッドがスライド溝１２の内壁に密着し、さらに伸縮ラック２１の鉛直高さを決める。
【００１４】
前記実施例の好ましい実施形態として、収納棚の構造安定性を向上させるために、隣り合う２つの支持棚１の間に、それぞれ支持棚１の対向する側辺に位置する２組の伸縮機構２が設けられている。
【００１５】
前記実施例の好ましい実施形態として、収納棚の位置を容易に移動させるために、複数の支持棚１における床面に隣接する支持棚の底面に自在車輪３が設けられている。自在車輪３を設けることで、収納棚の位置を移動しやすくなり、さらに収納棚が種々の生活シーンに適用される。
【００１６】
上述した実施例は単なる本考案の具体的な実施の態様を表すものであり、その説明が具体的で詳しいが、これによって本考案の特許請求の範囲を制限するものと理解することができない。なお、当業者であれば、本考案の趣旨を逸脱することなく、さらに若干の変形及び改善を行うことができる。これらは全て本考案の保護範囲に属する。
【符号の説明】
【００１７】
１    支持棚
１１    ねじ固定孔
１２    スライド溝
２    伸縮機構
２１    伸縮ラック
２２    調整ロッド
２３    ねじ山調整孔
２４    固定ネジ
２５    調整ネジ
３    自在車輪
【図１】
0003228332.tif 000003
【図２】
0003228332.tif 000004
【図３】
0003228332.tif 000005
【図４】
0003228332.tif 000006